【事件の表示】
　特願２００７−１６８６３４「弾球遊技機」拒絶査定不服審判事件〔平成２１年１月１５日出願公開，特開２００９−５８０５〕について，次のとおり審決する。
【結　論】
　本件審判の請求は，成り立たない。
【理　由】
第１．手続の経緯　
　本願は，平成１９年６月２７日に特許出願されたものであって，平成２３年３月２２日付けで拒絶査定がなされ，これに対し，同年６月２３日に拒絶査定不服審判が請求されるとともに，同時に提出された手続補正書により特許請求の範囲の補正（以下，「本件補正」という。）がなされたものである。
　その後，平成２３年１０月１２日付けで，審判請求人に前置報告書の内容を示し意見を求めるための審尋を行ったところ，同年１２月１４日に回答書が提出されたものである。
　
第２．本件補正についての補正の却下の決定　
［補正の却下の決定の結論］
　本件補正を却下する。
　
［理由］　
１．補正の内容
　本件補正は，特許請求の範囲の請求項１を以下のように補正することを含むものである。
　
「発射手段からの遊技球が遊技盤のガイドレールへと入る始端側を支点として前記遊技盤を前枠の遊技盤装着枠に着脱自在に装着し，前記遊技盤側と前記前枠側とをコネクタを介して電気的に接続するようにした弾球遊技機において，枠側コネクタを有する枠側ジョイント部を前記前枠
の前記支点と反対側に
その長手方向に多数の接続部を有し且つ該
　
　本件補正は，補正前の請求項１に発明を特定するために必要な事項（以下，「発明特定事項」という。）として記載された
　（ｉ）「前枠」に設ける「枠側ジョイント部」について，「前枠の支点とは反対側」に設けるものであること，
　（ii）「枠側コネクタ及び前記盤側コネクタ」について，「長手方向に多数の接続部を有」するものであること
を，それぞれ限定するものであるから，特許法第１７条の２第５項第２号に規定された特許請求の範囲の減縮を目的とするものである。
　
２．補正の適否の判断
　本件補正は，上記のとおり特許請求の範囲の減縮を目的とするものであるから，本件補正後の請求項１に係る発明（以下，「本願補正発明」という。）が，特許出願の際独立して特許を受けることができるものであるか（特許法第１７条の２第６項において準用する同法第１２６条第５項の規定に適合するか）について以下に検討する。
　
（１）引用例
　原査定の拒絶の理由に引用された本願出願日前に頒布された刊行物である
　　特開２００４−１６７２２５号公報（以下，「引用例」という。）
には，図面とともに次の事項が記載されている（下線は当審にて付与）。
　
（ａ）「【特許請求の範囲】
【請求項１】
　遊技盤と，前記遊技盤が取付けられる遊技機本体部の取付枠とを有し，前記遊技盤を前記遊技機本体部の前方から前記取付枠に取付ける遊技機であって，
　前記遊技盤に電気接点が設けられており，当該電気接点は，前記遊技盤が前記取付枠に取付けられる際に，当該取付動作に基づいて前記取付枠側に設けた電気接点に接続される構成としたことを特徴とする遊技機。」
　
（ｂ）「【発明の詳細な説明】
【技術分野】
【０００１】
本発明は，パチンコ，アレンジボール等の遊技機における遊技盤の合理的な取付け技術に関する。」
　
（ｃ）「【００３７】
（第２の実施形態）
　次に本発明の第２の実施形態を図１２および図１３に基づいて説明する。図１２は遊技機本体部１０３の取付枠１１１を前方から見た正面図であり，遊技盤１３１が止着されていない状態が示されている。図１３は遊技盤１３１の裏面側を示す背面図である。＜以下略＞」
　
（ｄ）「【００３８】
　第２の実施形態においては，かかる電気ノイズの影響を可及的に回避するべく構成したものである。すなわち，第２の実施形態は，コネクタ１９１ａ，１９１ｂおよびそれに連なる電気配線（図示省略）が，球タンク１９３，タンクレール１９５，および払い出し装置１９７を通過する球に帯電した静電気の影響を受けないようにするために，当該コネクタ１９１ａ，１９１ｂの接続部位を，球タンク１９３，タンクレール１９５，および払い出し装置１９７から可及的に離間した位置に設定する構成としたものである。より具体的には，
コネクタ１９１ａ，１９１ｂおよびそれに連なる電気配線（図示省略）が，
遊技機の前方から見て，右側縁部下方領域に配置された構成としている。
　
（ｅ）「【００４０】
　
図１３に示すように，遊技盤１３１の背面視における左側縁部下方領域には，遊技盤側コネクタ１９１ａが配置され，図１２に示すように，取付枠１１１の遊技盤装着凹部１１１ａの右側縁部下方領域には，取付枠側コネクタ１９１ｂが配置されている。遊技盤側コネクタ１９１ａと取付枠側コネクタ１９１ｂとは，相互に対向するように位置決めされており，遊技盤１３１が遊技盤支持部材１５１を介して遊技盤着脱位置Ａから遊技盤止着位置Ｂへと回動される際，当該回動動作により係合され，それに伴いコネクタ１９１ａ，１９１ｂに備えられた電気接点が相互に接続される
　
（ｆ）「【００４１】
　上記のように，第２の実施形態によれば，コネクタ１９１ａ，１９１ｂの接続部位を，帯電した球が貯留され通過する，球タンク１９３，タンクレール１９５，払い出し装置１９７等から離間した右側縁部下方領域に設定する構成としたことにより，コネクタ１９１ａ，１９１ｂおよびそれに連なる電気配線に及ぼす静電気による電気ノイズの影響を合理的に回避あるいは低減することが可能となった。また
コネクタ１９１ａ，１９１ｂは，遊技盤１３１を取付枠１１１に取付ける際，回動支点側とは反対側の開閉幅の大きい右側縁側に設けてあるため，コネクタ１９１ａ，１９１ｂ同士の係合，離脱を確実にかつ円滑に行う上で有効となる。
　
（ｇ）「【００４２】
　ところで，遊技盤１３１および取付枠１１１における寸法公差ないし組み付け誤差等の影響により，遊技盤１３１が遊技盤止着位置Ｂへと回動する際，遊技盤側コネクタ１９１ａと取付枠側コネクタ１９１ｂが相対的に位置ずれを起こし，うまく係合できない場合が生じ得る。このような場合に対処するべく，
遊技盤側コネクタ１９１ａの遊技盤１３１への取付部，あるいは取付枠側コネクタ１９１ｂの取付枠１１１への取付部に関しては，それらのいずれか一方または双方につき，取付部に対する上下方向，左右方向あるいは前後方向の位置関係が適宜シフトする構成とし，係合に際しコネクタの位置を適宜変化させ，コネクタ同士の位置関係の微調整を可能とする構成としている。
　
（ｈ）「【００４３】
　遊技盤側コネクタ１９１ａの遊技盤１３１に対する取付構造を図１４〜図１６に基づいて説明する。なお，本実施の形態では，２個の遊技盤側コネクタ１９１ａが左右に横並びに配置された場合が示されている。遊技盤１３１の背面側に合成樹脂製のコネクタホルダ２０１が固着されている。
コネクタホルダ２０１は，保持すべきコネクタ１９１ａ
【００４４】
　＜中略＞すなわち，コネクタ１９１ａはコネクタホルダ２０１に対して係脱方向（前後方向）への移動を規制された状態で，係脱方向と交差する面方向としての左右および上下方向には，コネクタ保持枠部２０１ａの内周面とコネクタ本体部１９１ａ２の外周面との間の隙間Ｃの範囲内で移動自在とされている。これにより，遊技盤側コネクタ１９１ａと取付枠側コネクタ１９１ｂとの係合時において，両コネクタ１９１ａ，１９１ｂの相対的な位置ずれが調整される構成となっている。なお
コネクタホルダ２０１は，上下のフランジ部２０１ｂがビス２０３によって遊技盤１３１の背面に固着されている。
　
（ｉ）「【００４９】
（第３の実施形態）
　次に本発明の第３の実施形態を図１７〜図２０に基づいて説明する。図１７は遊技機本体部１０３の取付枠１１１を前方から見た正面図であり，図１８は同じく取付枠１１１を前方から見た斜視図であり，それぞれ遊技盤１３１が止着されていない状態が示されている。図１９は遊技盤１３１の裏面側を示す背面図である。図２０の（Ａ），（Ｂ）は取付枠１１１に対する遊技盤１３１の取付態様およびコネクタの係合態様を示す断面図である。
この第３の実施形態においては，上述した第２の実施形態と同様に，遊技盤側コネクタ１９１ａと取付枠側コネクタ１９１ｂとの接続部位を，遊技機本体部１０３の背面側に配置される球タンク１９３，タンクレール１９５，および払い出し装置１９７から可及的に離間した位置に設定する
当該遊技盤側コネクタ１９１ａと取付枠側コネクタ１９１ｂを用いて，遊技盤１３１側の電気機器と遊技機本体部１０３側の電気機器との接続を一箇所で行う
　
（ｊ）「【００５０】
　さらに
第３の実施形態では，
遊取付枠１１１に設けた係合部材２１１を介して遊技盤１３１を前方から嵌め込んで取付ける構成としている。
　図１７および図１８に示すように，取付枠１１１の一側縁部としての左側縁部には，遊技盤１３１を当該取付枠１１１に取付けるに際し，当該遊技盤１３１の側縁部が係合可能な上下２個の係合部材２１１が一体に設けられている。係合部材２１１は取付枠１１１に形成される遊技盤装着凹部１１１ａよりも前側に配置されており，図２０の（Ａ）に示すように，その後面が遊技盤装着凹部１１１ａの凹部前面（凹部底面）１１１ｄと平行な平面状に形成されるとともに，係合部材２１１の後面と遊技盤装着凹部１１１ａの凹部前面１１１ｄとの間隔Ｌが遊技盤１３１の板厚Ｔに対し等しく設定されている。
【００５１】
　また図２０に示すように，
取付枠１１１の内周部に形成される遊技盤装着凹部１１１ａのうち，係合部材２１１が設定される側の左側縁部
このように遊技盤１３１を傾斜状態で挿入する位置が，遊技盤着脱位置Ａである。そして遊技盤１３１を差し込んだ後，係合部材２１１側（左側縁部）を支点にして遊技盤止着位置Ｂ側へ概ね水平状に回動（旋回）することにより，取付枠１１１の遊技盤装着凹部１１１ａに嵌め込むことができる（図２０の（Ｂ）参照）。
【００５２】
　遊技盤装着凹部１１１ａに嵌め込まれた状態の遊技盤１３１は，図２０の（Ｂ）に示すように，左側縁部後面が遊技盤装着凹部１１１ａの凹部前面１１１ｄに当接した状態で当該左側縁部前面が係合部材２１１の後面に係合する。これにより遊技盤１３１の左側縁部は，前後方向への直線状の動きが規制される。遊技盤装着凹部１１１ａに嵌め込んだ遊技盤１３１は，その後，当該遊技盤１３１の，例えば右側縁部の上下２箇所に設けたロック手段（図示省略）を介して取付枠１１１に止着される。かくして，遊技盤１３１は取付枠１１１に対しがたつきのない状態で確実に固定することができる。
　上記のようにして，
遊技盤１３１を取付枠１１１に取付ける動作，すなわち遊技盤着脱位置Ａから遊技盤止着位置Ｂへの回動動作により，遊技盤側コネクタ１９１ａが取付枠側コネクタ１９１ｂに係合され，それに伴いコネクタ１９１ａ，１９１ｂに備えられた電気接点が相互に接続される構成とされる。
　
（ｋ）「【００５３】
　
遊技盤側コネクタ１９１ａと取付枠側コネクタ１９１ｂは，図１７および図１８に示す球タンク１９３，タンクレール１９５，および払い出し装置１９７から可及的に離間した位置，すなわち遊技機の前方から見て，取付枠１１１および遊技盤１３１の右側縁部下方領域に配置されている（図１７および図１９参照）。
　また特に図示はしないが，
遊技盤側コネクタ１９１ａにつき，第２の実施形態で説明した位置ずれ調整構造（図１４〜図１６参照）が採用されている。
　
（ｌ）「【００５５】
＜中略＞また
遊技盤１３１の取付けおよび取り外し
　
（ｍ）「【００５７】
　なお上述した実施形態では，遊技盤１３１の電気的接続に際し，電気接点を内部に収容するコネクタ同士の係合を介して行ったが，これをプラグ端子等の他の形態のものに適宜代替することが可能である。また
第２の実施形態および第３の実施形態では，遊技盤側コネクタ１９１ａにつき，コネクタ相互の位置ずれを吸収することが可能な位置調整構造を有するとして説明したが，遊技盤側コネクタ１９１ａに変えて取付枠側コネクタ１９１ｂに位置ずれ調整構造を採用してもよい。
　
（ｎ）「【００６０】
　さらに，本発明の趣旨により，下記に述べる各種の態様を構成することが可能である。
（態様１）
「請求項１に記載の遊技機であって，
前記
遊技盤側の電気接点は，前記遊技盤の前記取付枠への取付動作により，当該取付枠側の電気接点とワンタッチ状に係合するべく互いに雌雄形状とされた一対のコネクタとして構成される
【００６１】
　態様１に記載の発明によれば，請求項１に記載の遊技機における遊技盤側の電気接点は，遊技盤の遊技盤支持部材への取付動作により，遊技盤支持部材側の電気接点とワンタッチ状に係合するべく，互いに雌雄形状とされた一対のコネクタとして構成されている。
本発明における「ワンタッチ状に係合」の意義としては，雄雌形状のいずれかに形成された遊技盤のコネクタが，雄雌形状の他方に形成された相手方のコネクタに係合することで，コネクタに配設された電気接点が一度に接合される態様を広く含むものとする。かかる構成により，遊技盤支持部材に対する遊技盤取付作業において，作業者は電気配線の接続作業を特に意識することなく，単に遊技盤の取付動作を行うだけで，当該遊技盤に関する電気配線の接続を遂行することができ，遊技盤の取付に関する合理性を一層向上することができる。
　
（ｏ）【図１２】及び【図１７】には，これらの図において符号「１９１ｂ」で示される「取付枠側コネクタ」を，【図１３】には，当該図において符号「１９１ａ」で示される「遊技盤側コネクタ」を，各々その長手方向を上下方向に向けて配置したものが記載されている。また，コネクタが，その長手方向に多数の電気接点を有することは自明である。
　
　これらの記載事項及び図示内容を総合すると，引用例には，第３の実施形態として，以下の発明（以下，「引用発明」という。）が記載されていると認められる。
　
「取付枠１１１の内周部に形成される遊技盤装着凹部１１１ａの係合部材２１１が設定される左側縁部を支点にして遊技盤１３１を前記取付枠１１１の前記遊技盤装着凹部１１１ａに前方から取り外し可能に嵌め込み，前記遊技盤側と前記取付枠側とをコネクタ１９１ａ，１９１ｂに備えられた電気接点により相互に接続するパチンコ，アレンジボール等の遊技機において，
　取付枠側コネクタ１９１ｂを前記取付枠１１１の右側縁部下方領域に配置し，
　前記遊技盤１３１を前記遊技盤装着凹部１１１ａに対して取付けおよび取り外すときに，前記取付枠側コネクタ１９１ｂに係合する遊技盤側コネクタ１９１ａを有するコネクタホルダ２０１を前記遊技盤１３１に固着し，
　前記取付枠側コネクタ１９１ｂ及び前記遊技盤側コネクタ１９１ａは，その長手方向に多数の電気接点を有し且つ該長手方向を上下方向に向けて配置した遊技機。」
　
（２）対比
　本願補正発明と引用発明とを対比すると，
　（α）引用発明の「取付枠１１１」は，本願補正発明の「前枠」に相当し，以下同様に，
　（β）「遊技盤装着凹部１１１ａ」は，「遊技盤装着枠」に，
　（γ）「遊技盤１３１」は，「遊技盤」に，　
　（δ）「パチンコ，アレンジボール等の遊技機」は，「弾球遊技機」に，
　（ε）「取付枠１１１の内周部に形成される遊技盤装着凹部１１１ａの係合部材２１１が設定される左側縁部を支点」とすることは，「発射手段からの遊技球が遊技盤のガイドレールへと入る始端側を支点」とすることに，
　（ζ）「遊技盤１３１を取付枠１１１の遊技盤装着凹部１１１ａに…取り外し可能に嵌め込」むことは，「遊技盤を前枠の遊技盤装着枠に着脱自在に装着」することに，
　（η）「コネクタ１９１ａ，１９１ｂに備えられた電気接点により相互に接続する」ことは，「コネクタを介して電気的に接続する」ことに，
　（θ）「取付枠側コネクタ１９１ｂ」は，「枠側コネクタ」に，
　（ι）「取付枠１１１の右側縁部下方領域」は，「前枠の支点と反対側」に，
　（κ）「取付けおよび取り外す」ことは，「着脱する」ことに，
それぞれ相当する。
　また，引用発明は「遊技盤１３１を取付枠１１１の…前方から取り外し可能に嵌め込」むものであるから，
　（λ）引用発明の「取付枠側コネクタ１９１ｂに係合する」ことは，本願補正発明の「枠側コネクタに前後方向に着脱する」ことに相当し，以下同様に，
　（μ）「遊技盤側コネクタ１９１ａ」は，「盤側コネクタ」に，
　（ν）「コネクタホルダ２０１」は，「盤側ジョイント部」に，
　（ξ）「コネクタホルダ２０１を遊技盤１３１に固着」することは，「盤側ジョイント部を遊技盤に設け」ることに，
　（ο）「電気接点」は，「接続部」に
それぞれ相当する。　　
　
　してみると，両発明の一致点及び相違点は以下のとおりである。
　
［一致点］　
「発射手段からの遊技球が遊技盤のガイドレールへと入る始端側を支点として前記遊技盤を前枠の遊技盤装着枠に着脱自在に装着し，前記遊技盤側と前記前枠側とをコネクタを介して電気的に接続するようにした弾球遊技機において，
 枠側コネクタを前記前枠の前記支点と反対側に設け，
 前記遊技盤を前記遊技盤装着枠に着脱するときに，前記枠側コネクタに前後方向に着脱する盤側コネクタを有する盤側ジョイント部を前記遊技盤に設け，
 前記枠側コネクタ及び前記盤側コネクタはその長手方向に多数の接続部を有する弾球遊技機。」
　
［相違点１］
　「枠側コネクタ」を「前枠の支点と反対側」に設ける態様について，本願補正発明では，「枠側コネクタを有する枠側ジョイント部を…着脱自在に設け」るのに対して，引用発明では，「取付枠側コネクタ１９１ｂ」を有する「枠側ジョイント部」に相当する構成を有するか不明であり，また，これを前枠に「着脱自在」とする構成を有するか不明である点。
　
［相違点２］
　「枠側コネクタ及び盤側コネクタ」の「長手方向」の配置について，本願補正発明では，「左右方向」であるのに対して，引用発明では，「上下方向」である点。
　
（３）判断　
　上記各相違点について以下に検討する。
　
（イ）相違点１について
　引用例に記載された第３の実施態様は，上記（１）欄に摘記した摘記事項（ｋ）に記載されるように，「遊技盤側コネクタ１９１ａ」について，第２の実施形態の位置ずれ調整構造（図１４〜図１６参照）が採用されたものであり，第２の実施形態における「遊技盤側コネクタ１９１ａ」は，摘記事項（ｈ）に記載されるように，「コネクタホルダ２０１」により保持されているものであって，当該「コネクタホルダ２０１」は「ビス２０３によって遊技盤１３１の背面に固着されている」ものである。
　一方，引用例の摘記事項（ｍ）には，「遊技盤側コネクタ１９１ａにつき，コネクタ相互の位置ずれを吸収することが可能な位置調整構造を有するとして説明したが，
遊技盤側コネクタ１９１ａに変えて取付枠側コネクタ１９１ｂに位置ずれ調整構造を採用してもよい
一方または双方
　また，コネクタホルダはビスにより固着されるものであるから，これが「着脱自在」であることは自明である。
　よって，引用発明の「取付枠側コネクタ１９１ｂ」に対し，「遊技盤側コネクタ１９１ａ」を「コネクタホルダ２０１」で保持する態様を適用して，「取付枠側コネクタ１９１ｂ」をコネクタホルダで保持し，当該コネクタホルダをビスによって「取付枠１１１」に固着することによって，上記相違点１に係る本願補正発明の構成とすることは，当業者が容易に想到し得た事項である。
　
（ロ）相違点２について
　引用例には，引用発明において枠側コネクタ及び盤側コネクタの長手方向を「上下方向」に配置したことの技術的意義について特に説明されておらず，また，配置が「上下方向」に限定されることを示唆する記載もない。
　そして，電気機器に設けられるコネクタの長手方向をどの向きに配置するかは，
　　・当該機器における空き空間の位置
　　・他の構成要素との物理的又は電磁気的干渉の回避
　　・コネクタどうしの結合の容易性
等を考慮して当業者が適宜選択し得た事項であって，原査定審査官が述べるように，設計的事項である。
　また，相互に嵌合可能なコネクタが固定された部材どうしを，支点廻りに回動させて接触させることによって前記コネクタどうしを嵌合させるようなコネクタ接続構造において，コネクタの長手方向を，支点軸とは平行ではなく，これと直交する回転半径方向に向けて配置する構成は，例えば，
　　Ａ．特開平９−３２０６８７号公報
　　　（特に，【図１】及び【図２】の記載を参照）
　　Ｂ．特開２００５−２０９５３２号公報
　　　（特に，【図１】及び【図２】の記載を参照）
　　Ｃ．特開平１０−２３６２４１号公報
　　　（特に，【図１】〜【図３】の記載を参照）
に開示されるように周知な構成であり，さらに，遊技機の技術分野において，コネクタの長手方向を左右方向とすることも，例えば，
　　Ｄ．特開平９−９９１３７号公報
　　　（特に，【図３】の記載を参照）
　　Ｅ．特開平１１−４７３９２号公報
　　　（特に，【図１】の記載を参照）
に開示されるように周知であって，引用発明において，枠側コネクタ及び盤側コネクタの長手方向を「左右方向」とすることを阻害する要因も見当たらない。
　してみると，引用発明の枠側コネクタ及び盤側コネクタの長手方向の配置を，「上下方向」から「左右方向」へと設計変更することによって，上記相違点２に係る本願補正発明の構成とすることは，当業者が容易に想到し得た事項である。
　
（ハ）効果の予測性について
　審判請求人は，審判請求書及び回答書において，本願補正発明が，コネクタの着脱抵抗が軽減できる作用効果を奏する点において，原査定の理由に引用された各引用例に記載された発明と相違する旨を主張する。
　しかしながら，上記のようなコネクタ接続構造において，コネクタの長手方向を，支点軸と直交する回転半径方向に向けて配置することにより，コネクタの接点どうしが，支点軸と平行に配置した場合と比べて，徐々に接合していくようになることは自明であり，上記請求人主張の作用効果は，当業者が予測し得た範囲内のものと言わざるをえない。
　また，本願明細書の段落【０００８】に記載された本願補正発明効果のうち，「電気系統を一括して容易且つ確実に着脱でき」るという効果は，引用例の上記（１）欄に摘記した摘記事項（ｆ）及び（ｎ）の記載から当業者が予測し得た事項であり，また，損傷した「部分を容易に交換できる利点」については，上記（イ）欄で検討したコネクタホルダをビスによって「取付枠１１１」に固着することによる自明な効果である。
　よって，本願補正発明の全体構成により奏される作用・効果は，引用発明から当業者が予測できた範囲内のものである。
　
（ニ）まとめ
　よって，本願補正発明は，引用発明に基づいて当業者が容易に発明をすることができたものである。
　
（４）独立特許要件についての判断
　以上のとおり，本願補正発明は，引用発明に基づいて当業者が容易に発明をすることができたものであるから，特許法第２９条第２項の規定により，特許出願の際独立して特許を受けることができるものではない。
　
３．むすび
　したがって，本件補正は，特許法第１７条の２第６項において準用する同法第１２６条第５項の規定に違反するので，同法第１５９条第１項において読み替えて準用する同法第５３条第１項の規定により却下すべきものである。
　よって，補正の却下の決定の結論のとおり決定する。　
　
第３．本願発明について
１．本願発明の認定
　本件補正は上記のとおり却下されたので，本願の請求項１に係る発明（以下，「本願発明」という。）は，平成２２年８月３日付けの手続補正書により補正された特許請求の範囲の請求項１に記載された事項により特定される次のとおりのものと認める。
　
「発射手段からの遊技球が遊技盤のガイドレールへと入る始端側を支点として前記遊技盤を前枠の遊技盤装着枠に着脱自在に装着し，前記遊技盤側と前記前枠側とをコネクタを介して電気的に接続するようにした弾球遊技機において，枠側コネクタを有する枠側ジョイント部を前記前枠に着脱自在に設け，前記遊技盤を前記遊技盤装着枠に着脱するときに，前記枠側コネクタに前後方向に着脱する盤側コネクタを有する盤側ジョイント部を前記遊技盤に設け，前記枠側コネクタ及び前記盤側コネクタは，その長手方向を左右方向に向けて配置したことを特徴とする弾球遊技機。」
　
２．引用例
　原査定の拒絶の理由に引用された引用例及びその記載事項は，上記第２．［理由］２．（１）欄に記載したとおりである。
　
３．対比・判断
　本願発明は，上記第２．欄で検討した本願補正発明から，上記第２．［理由］１．欄に記載した（ｉ）及び（ii）の限定を削除したものに相当する。
　そうすると，本願発明の発明特定事項を全て含み，さらに他の発明特定事項を付加したものに相当する本願補正発明が，上記第２．［理由］２．（３）欄に記載したとおり，引用発明に基づいて当業者が容易に発明をすることができたものであるから，本願発明も，同様な理由により，これらに基づいて当業者が容易に発明をすることができたものである。
　
４．むすび
　以上のとおり，本願発明は，引用発明に基づいて当業者が容易に発明をすることができたものであるから，特許法第２９条第２項の規定により特許を受けることができないものである。
　したがって，その余の請求項について論及するまでもなく，本願は拒絶をすべきものである。
　よって，結論のとおり審決する。